(57)【要約】【課題】本発明は、プロテクタに過大な力が加わるのを防止でき、しかも、格別なねじを用いることなくプロテクタとリール本体とを位置決めすることができ、作業性に優れた魚釣用スプリングリールを得ることにある。【解決手段】魚釣用スピニングリール1は、リール本体2と、リール本体2の後端に組み付けられるプロテクタ18と、プロテクタ18の一端とリール本体2との間を、リール本体2に対するプロテクタ18の組み付け方向に沿って固定する第１の固定部22と、プロテクタ18の他端とリール本体2との間を、プロテクタ18の組み付け方向と異なる方向に沿って固定する第２の固定部23とを備えている。第２の固定部23は、リール本体2から突出する凸部30と、プロテクタ18に形成されて凸部30が嵌合する嵌合孔31とを含んでいる。プロテクタ18の他端は凸部30と嵌合孔31とを相対的に嵌合させることでリール本体2に保持される。【選択図】      図３
2007215418.tif 000002
【特許請求の範囲】
【請求項１】
スプールおよびロータを支持するリール本体と、
上記リール本体の後端に上記リール本体の後方から取り外し可能に組み付けられるプロテクタと、
上記プロテクタの一端と上記リール本体との間を、上記リール本体に対する上記プロテクタの組み付け方向に沿って固定する第１の固定手段と、
上記プロテクタの他端と上記リール本体との間を、上記リール本体に対する上記プロテクタの組み付け方向と異なる方向に沿って固定する第２の固定手段と、を具備する魚釣用スピニングリールであって、
上記第２の固定手段は、上記リール本体から突出する凸部と、上記プロテクタに形成されて上記凸部が嵌合する嵌合孔とを含み、上記凸部と上記嵌合孔とを相対的に嵌合させることで、上記プロテクタの他端を上記リール本体に保持することを特徴とする魚釣用スピニングリール。
【請求項２】
請求項１の記載において、上記第２の固定手段は、上記凸部にねじ込まれる止めねじをさらに備えており、この止めねじは、上記凸部よりも大径な頭部を有するとともに、この頭部の外周部が上記嵌合孔の開口縁に引っ掛かることを特徴とする魚釣用スピニングリール。
【請求項３】
請求項１又は請求項２の記載において、上記第２の固定手段の凸部および嵌合孔のいずれか一方は、上記プロテクタを上記リール本体に組み付ける時に、他方を避けるように切り欠かれた逃げ部を有することを特徴とする魚釣用スピニングリール。
【請求項４】
請求項１の記載において、上記プロテクタは、上記リール本体の高さ方向に延びて上記リール本体の後面を覆う第１の部分と、上記第１の部分の下端から上記リール本体の前方に延出されて上記リール本体の下面を覆う第２の部分とを有し、
上記第１の固定手段は、上記プロテクタの第１の部分と上記リール本体との間に位置するとともに、上記第２の固定手段は、上記プロテクタの第２の部分と上記リール本体との間に位置することを特徴とする魚釣用スピニングリール。
【発明の詳細な説明】
【技術分野】
【０００１】
本発明は、リール本体の後端にプロテクタを装着した魚釣用スピニングリールに係り、特にプロテクタをリール本体に固定する構造に関する。
【背景技術】
【０００２】
魚釣用スピニングリールは、スプールおよびロータの後方に突出する金属製のリール本体を備えている。リール本体は、上向きに延びる脚部を有し、この脚部の上端部が釣竿のリールシートに固定されるようになっている。
【０００３】
この種のスピニングリールでは、リール本体の内部にスプールを往復動させるオシレート機構やロータを回転させる巻き取り駆動機構が収容されている。オシレート機構の一部は、リール本体の後端からリール本体の外に露出するとともに、このリール本体の後端にオシレート機構の回転軸を支持する軸受部が形成されている。
【０００４】
そのため、リール本体の後端は、凹凸の多い複雑な形状となっており、そのままでは外観的な面で問題が残る。それとともに、例えば釣場を移動したり、あるいは実際に釣をしている時に、リール本体の後端が釣場の岩と干渉して傷付いてしまうと、オシレート機構の作動不良の原因となることがあり得る。
【０００５】
この対策として、従来、リール本体の後端に取り外し可能なプロテクタを装着したスピニングリールが知られている（例えば、特許文献１および特許文献２参照）。
【０００６】
特許文献１および２によると、複雑な形状のリール本体の後端をプロテクタによって覆い隠すことができる。そのため、リール本体の傷付きを防止しつつ、リール本体の後端の装飾性を高めることができる。
【特許文献１】実用新案登録第２５７３３１２号
【特許文献２】特開２００２−３３５８２３号公報
【発明の開示】
【発明が解決しようとする課題】
【０００７】
特許文献１および２に開示されたスピニングリールによると、リール本体は、プロテクタを受け止める座部を有し、この座部の上に止めねじを介してプロテクタが締め付け固定されている。止めねじは、プロテクタを貫通して座部にねじ込まれている。
【０００８】
そのため、止めねじを締め付けると、止めねじの頭部とリール本体の座部との間でプロテクタが挟み込まれ、リール本体に対するプロテクタの位置が定まる。
【０００９】
ところで、従来のプロテクタは、合成樹脂材料で造られることが多く、その外表面が装飾性や意匠的効果を高めるためのメッキ層で覆われている。したがって、例えば止めねじを強いトルクで締め込んだ場合に、プロテクタの固定部分が過大な締付トルクによって押し潰されるように変形することがあり得る。
【００１０】
この結果、プロテクタの外表面を覆うメッキ層にクラックが生じたり、メッキ層が剥離することがあり、プロテクタの外観が悪くなる。
【００１１】
この対策としては、止めねじの頭部とプロテクタとの間にＯリングのような緩衝材を介在させ、この緩衝材によって過大な締付トルクを吸収することが考えられる。しかしながら、緩衝材を使用すると、この緩衝材の分だけ部品点数が多くなる。よって、スピニングリールのコストアップを招く原因となり、有効な解決策とはなり得ないものとなる。
【００１２】
さらに、特許文献１および２によると、プロテクタは単にリール本体の座部に重ね合わされているだけであり、止めねじを座部にねじ込むことで初めてプロテクタとリール本体との位置合せがなされる。言い換えると、止めねじを基準としてプロテクタとリール本体との位置決めがなされるので、止めねじが無い状態では、プロテクタをリール本体の定位置に合わせる作業が難しくなる。
【００１３】
特に特許文献２では、リール本体に対するプロテクタの組み付け方向と止めねじの締め付け方向とが互いに相違しているので、プロテクタをリール本体に重ね合わせた時に、プロテクタに開けたねじ挿通孔と座部のねじ孔とがうまく合致しないことがある。このため、止めねじの締め付け作業に手間を要し、スピニングリールの組み立て時の作業性が悪くなるといった問題がある。
【００１４】
本発明の目的は、プロテクタをリール本体に固定した時に、プロテクタに過大な挟持力が加わるのを防止でき、しかも、格別なねじを用いることなくプロテクタとリール本体との位置決めが可能となり、作業性に優れた魚釣用スピニングリールを得ることにある。
【課題を解決するための手段】
【００１５】
上記目的を達成するため、本発明の一つの形態に係る魚釣用スピニングリールは、  
スプールおよびロータを支持するリール本体と、  
上記リール本体の後端に上記リール本体の後方から取り外し可能に組み付けられるプロテクタと、  
上記プロテクタの一端と上記リール本体との間を、上記リール本体に対する上記プロテクタの組み付け方向に沿って固定する第１の固定手段と、  
上記プロテクタの他端と上記リール本体との間を、上記リール本体に対する上記プロテクタの組み付け方向と異なる方向に沿って固定する第２の固定手段と、を備えている。  
上記第２の固定手段は、上記リール本体から突出する凸部と、上記プロテクタに形成されて上記凸部が嵌合する嵌合孔とを含み、上記凸部と上記嵌合孔とを相対的に嵌合させることで、上記プロテクタの他端を上記リール本体に保持することを特徴としている。
【発明の効果】
【００１６】
本発明によれば、リール本体の凸部は、プロテクタの嵌合孔に嵌まり込むので、凸部の先端面がプロテクタに突き当たることはない。このため、プロテクタをリール本体に固定した時に、プロテクタをリール本体との間で挟み込もうとする過大な力がプロテクタに加わることはなく、プロテクタの変形や破損を防止できる。
【００１７】
さらに、凸部と嵌合孔との嵌合によりリール本体に対するプロテクタの位置が定まるので、格別なねじを用いることなくリール本体とプロテクタとの位置合せを実行できる。よって、プロテクタの位置決めが容易となり、スピニングリールの組み立て時の作業性が向上する。
【発明を実施するための最良の形態】
【００１８】
以下本発明の第１の実施の形態を、図１ないし図４に基づいて説明する。
【００１９】
図１および図２は、魚釣用スピニングリール１を開示している。魚釣用スピニングリール１は、リール本体２を備えている。リール本体２は、例えばアルミニウム合金のような金属材料で造られている。リール本体２は、上向きに延びる脚部３を有し、この脚部３の上端部に竿取り付け部４が形成されている。竿取り付け部４は、図示しない釣竿のリールシートに固定される。
【００２０】
リール本体２の前部にロータ５およびスプール６が同軸状に設けられている。ロータ５は、リール本体２に回転可能に支持されている。スプール６は、釣糸を巻き付ける小径部６ａと、この小径部６ａの後方に位置する大径部６ｂとを有している。スプール６は、リール本体２の前後方向に往復動可能にリール本体２に支持されており、その大径部６ｂがロータ５に同軸状に被さっている。
【００２１】
さらに、ロータ５は、一対のアーム部７（一方のみを図示）を有している。アーム部７は、ロータ５の後端部からリール本体２の前方に向かって突出するとともに、スプール６の大径部６ｂを間に挟んで互いに向かい合っている。
【００２２】
アーム部７の先端部の間に釣糸案内装置８が取り付けられている。釣糸案内装置８は、スプール６の小径部６ａに釣糸を案内するためのものであり、アーム部７の先端の間に跨るベール９を備えている。
【００２３】
リール本体２の内部にロータ５を回転させる巻き取り駆動機構（図示せず）と、スプール６を往復動させるオシレート機構（図示せず）とが収容されている。巻き取り駆動機構およびオシレート機構は、リール本体２の側方に位置するハンドル１０に連動している。このため、釣人がハンドル１０を手で回すと、オシレート機構を介してスプール６がリール本体２の前後方向に往復動するとともに、巻き取り駆動機構を介してロータ５が回転するようになっている。
【００２４】
図１および図２に示すように、リール本体２は、上記脚部３と一体化されたケース部１２と、このケース部１２の側面にねじ止めされたカバー部１３とを備えている。ケース部１２は、巻き取り駆動機構およびオシレート機構を収容している。
【００２５】
リール本体２は、脚部３に連続する後面１４と下面１５とを有している。後面１４は、リール本体２の下端から脚部３の上端の方向に進むに従いリール本体２の前方に向けて傾斜している。下面１５は、後面１４の下端からリール本体２の前方に向かって延びている。
【００２６】
図２に最もよく示されるように、リール本体２の後面１４から下面１５に至る領域に取り付け座部１７が形成されている。取り付け座部１７は、後面１４および下面１５よりも一段低い凹みにて構成されている。取り付け座部１７の一端は、リール本体２のケース部１２と脚部３との境界付近に位置するとともに、取り付け座部１７の他端は、下面１５の中間部付近に位置している。
【００２７】
リール本体２の取り付け座部１７に取り外し可能なプロテクタ１８が装着されている。プロテクタ１８は、リール本体２の後面１４から下面１５を覆うことで、リール本体２の後端部を保護している。本実施の形態のプロテクタ１８は、例えば合成樹脂材料で造られており、リール本体２の後方および下方に露出する外表面を有している。図４に示すように、プロテクタ１８の外表面は、意匠的効果を高めるメッキ層１９で覆われている。
【００２８】
図２に示すように、プロテクタ１８は、第１の部分２０と第２の部分２１とを有している。第１の部分２０は、リール本体２の後面１４を覆うようにリール本体２の高さ方向に延びているとともに、リール本体２の後方に向けて凸となるように円弧状に湾曲している。さらに、第１の部分２０は、リール本体２の後面１４と向かい合う帯状の対向壁２０ａと、この対向壁２０ａの左右の側縁から立ち上がる一対の側壁２０ｂ（一方のみを図示）とを有している。対向壁２０ａの上縁および側壁２０ｂの先端縁は、互いに連続して第１の部分２０の外周縁を構成し、この第１の部分２０の外周縁が上記取り付け座部１７の外周部に突き合わされる。
【００２９】
そのため、第１の部分２０は、リール本体２の後面１４に向けて開口するような断面形状を有している。
【００３０】
プロテクタ１８の第２の部分２１は、リール本体２の下面１５を覆うように第１の部分２０の下端からリール本体２の前方に向けて延びている。第２の部分２１は、リール本体２の下面１５と向かい合う対向壁２１ａと、この対向壁２１ａの左右の側縁から立ち上がる一対の側壁２１ｂ（一方のみを図示）とを有している。第２の部分２１の対向壁２１ａは、第１の部分２０の対向壁２０ａに連続している。第２の部分２１の側壁２１ｂは、第１の部分２０の側壁２０ｂに連続している。
【００３１】
さらに、対向壁２１ａの前縁および側壁２１ｂの先端縁は、互いに連続して第２の部分２１の外周縁を構成し、この第２の部分２１の外周縁が上記取り付け座部１７の外周部に突き合わされる。そのため、第２の部分２１は、リール本体２の下面１５に向けて開口するような断面形状を有している。
【００３２】
このようなプロテクタ１８は、リール本体２の後方からリール本体２の後端に組み付けられるようになっており、その組み付け方向が図２に矢印Ａで示すようにリール本体２の前後方向に沿っている。
【００３３】
図２に示すように、プロテクタ１８は、第１の固定手段２２および第２の固定手段２３を介してリール本体２に固定される。第１の固定手段２２は、プロテクタ１８の第１の部分２０をリール本体２の後面１４に固定するためのものであり、凸部２４、凹部２５および第１の止めねじ２６備えている。
【００３４】
凸部２４は、第１の部分２０の対向壁２０ａの内面からリール本体２の後面１４に向けて突出している。この凸部２４の突出方向は、リール本体２に対するプロテクタ１８の組み付け方向Ａと一致している。凸部２４は、対向壁２０ａの上端部に位置するとともに、その先端面に開口するねじ孔２７を有している。
【００３５】
凹部２５は、取り付け座１７の上端部に位置している。この凹部２５は、凸部２４がプロテクタ１８の組み付け方向Ａに沿って取り外し可能に嵌合するようにリール本体２の後面１４に開口している。
【００３６】
第１の止めねじ２６は、リール本体２の前方からリール本体２を貫通してねじ孔２７にねじ込まれる。このねじ込みにより、プロテクタ１８の第１の部分２０は、その外周縁を取り付け座部１７の外周部に突き合わせた状態でリール本体２に固定される。
【００３７】
一方、第２の固定手段２３は、プロテクタ１８の第２の部分２１をリール本体２の下面１５に固定するためのものであり、凸部３０、嵌合孔３１および第２の止めねじ３２を備えている。
【００３８】
図３に示すように、凸部３０は、取り付け座部１７の下端部に位置している。凸部３０は、リール本体２の下面１５からリール本体２の下方に向けて突出するとともに、下方に進むに従いリール本体２の後方に向けて傾斜している。この凸部３０の突出方向Ｂは、リール本体２に対するプロテクタ１８の組み付け方向Ａと相違している。
【００３９】
言い換えると、凸部３０は、プロテクタ１８の組み付け方向Ａと交差するようにリール本体２の下方に向けて突出している。さらに、凸部３０はねじ孔３３を有している。ねじ孔３３は、凸部３０の先端面に開口している。
【００４０】
嵌合孔３１は、凸部３０が取り外し可能に嵌合するものであり、プロテクタ１８の第２の部分２１の対向壁２１ａに形成されている。本実施の形態によると、対向壁２１ａは、リール本体２の下面１５に向けて凹む窪み部３４を有し、この窪み部３４の底に嵌合孔３１が形成されている。
【００４１】
凸部３０が嵌合孔３１に嵌合することで、リール本体２の下面１５とプロテクタ１８の第２の部分２１との相対的な位置合せがなされる。図３に示すように、凸部３０が嵌合孔３１に嵌合した状態では、プロテクタ１８の第２の部分２１は、リール本体２の下面１５に接することなく、この下面１５から離れている。
【００４２】
そのため、プロテクタ１８の第２の部分２１とリール本体２の下面１５との間には、隙間Ｓが形成されている。それとともに、プロテクタ１８の窪み部３４に、凸部３０の先端面およびねじ孔３３の開口端が露出している。
【００４３】
第２の止めねじ３２は、リール本体２の下方からねじ孔３３にねじ込まれている。第２の止めねじ３２のねじ込み方向は、凸部３０の突出方向Ｂと一致し、かつプロテクタ１８の組み付け方向Ａと異なっている。
【００４４】
第２の止めねじ３２は、凸部３０よりも大径な頭部３５を有している。頭部３５は、第２の止めねじ３２をねじ孔３３に完全にねじ込んだ時に、凸部３０の先端面に突き当たるとともに、窪み部３４の内側に収まっている。この頭部３５の外周部は、凸部３０の先端面よりも径方向外側に張り出すとともに、プロテクタ１８の嵌合孔３１の開口縁にリール本体２の下方から引っ掛かっている。
【００４５】
第２の止めねじ３２の頭部３５は、第２の止めねじ３２をねじ孔３３にねじ込んだ状態においても、凸部３０との間でプロテクタ１８を挟持しておらず、単にプロテクタ１８が凸部３０の下方に抜け出るのを防止している。したがって、第２の止めねじ３２は、凸部３０とプロテクタ１８との嵌合状態を維持している。
【００４６】
このような構成の魚釣用スピニングリール１によると、プロテクタ１８は、リール本体２の後方からリール本体２の後端に組み付けられる。この際、プロテクタ１８の第１の部分２０に位置する凸部２４は、プロテクタ１８の組み付け方向Ａに沿って突出しているので、そのままリール本体２の凹部２５に嵌合し、第１の止めねじ２６によってリール本体２に固定される。
【００４７】
一方、プロテクタ１８の第２の部分２１は、その嵌合孔３１にリール本体２から突出する凸部３０を嵌合させることで、リール本体２との間の相対的な位置合せがなされる。凸部３０を嵌合孔３１に嵌合させた状態では、プロテクタ１８の第２の部分２１とリール本体２の下面１５との間に隙間Ｓが存在し、プロテクタ１８の第２の部分２１とリール本体２の下面１５とが非接触状態に保たれている。
【００４８】
このため、第２の止めねじ３２を強いトルクで凸部３０のねじ孔３３にねじ込んだ場合でも、第２の止めねじ３２の頭部３５は、単にその外周部が嵌合孔３１の開口縁に引っ掛かるに止まる。言い換えると、第２の止めねじ３２のねじ込みが完了した時点では、第２の止めねじ３２の頭部３５が凸部３０の先端面に突き当たり、第２の止めねじ３２の締め付け力の多くを凸部３０が荷担する。
【００４９】
したがって、たとえ第２の止めねじ３２を過大なトルクで締め付けても、プロテクタ１８の第２の部分２１が第２の止めねじ３２の頭部３５とリール本体２の凸部３０との間で強く挟み込まれることはない。
【００５０】
さらに、プロテクタ１８の第１の部分２０をリール本体２に固定する第１の止めねじ２６は、リール本体２の脚部３を貫通してプロテクタ１８の凸部２４にねじ込まれている。そのため、第１の止めねじ２６を過大なトルクで締め付けたとしても、凸部２４が凹部２５に引き込まれるに止まり、プロテクタ１８の第１の部分２０が第１の止めねじ２６とリール本体２との間で強く挟み込まれることはない。
【００５１】
この結果、プロテクタ１８をリール本体２に固定した時に、プロテクタ１８の第１および第２の部分２０，２１に挟持力が加わることはなく、プロテクタ１８の変形やこの変形に伴うメッキ層１９の割れや剥離を防止できる。よって、プロテクタ１８の外観を良好に維持することができる。
【００５２】
さらに、上記構成によると、単に凸部３０を嵌合孔３１に嵌合させるだけの作業でリール本体２に対するプロテクタ１８の位置が定まるので、第２の止めねじ３２は、リール本体２とプロテクタ１８との位置決めに何等寄与していない。
【００５３】
そのため、たとえ凸部３０の突出方向Ｂおよび第２の止めねじ３２の締め付け方向がリール本体２に対するプロテクタ１８の組み付け方向Ａと異なっていても、リール本体２に対するプロテクタ１８の位置決めを容易に行うことができる。よって、魚釣用スピニングリール１の組み立て時の作業性が向上するといった利点がある。
【００５４】
なお、本発明は上記第１の実施の形態に特定されるものではなく、図５および図６に本発明の第２の実施の形態を示す。
【００５５】
この第２の実施の形態は、第２の固定手段２３を構成する凸部３０の形状が上記第１の実施の形態と相違しており、それ以外の構成は第１の実施の形態と同様である。
【００５６】
図５および図６に示すように、凸部３０は、リール本体２の下方に進むに従いリール本体２の後方に向けて傾斜しているので、凸部３０の先端面３０ａがプロテクタ１８の組み付け方向Ａに対し角度θで交差している。
【００５７】
そのため、プロテクタ１８をリール本体２の後方から真っ直ぐにリール本体２に組み付けると、プロテクタ１８の窪み部３４の前端部が凸部３０の先端面３０ａの下端部と干渉する虞がある。
【００５８】
そこで、この第２の実施の形態では、先端面３０ａの下端部に逃げ部４１が形成されている。逃げ部４１は、窪み部３４の前端部を避けるようにプロテクタ１８の組み込み方向Ａに沿って斜めに切り欠かれた形状をなしている。このため、逃げ部４１は、プロテクタ１８の組み付け方向Ａに沿う平坦な平面４１ａを有している。
【００５９】
このような構成によれば、プロテクタ１８をリール本体２の後方から真っ直ぐにリール本体２に組み付けていくと、窪み部３４の前端部が逃げ部４１に入り込むとともに、その平坦な平面４１ａに沿って移動する。
【００６０】
このため、プロテクタ１８をリール本体２に組み付ける時に、プロテクタ１８の窪み部３４が凸部３０に引っ掛かることはない。したがって、プロテクタ１８の第２の部分２１を下向きに撓ませる必要もなく、リール本体２に対するプロテクタ１８の組み付け作業を容易に行うことができる。
【００６１】
さらに、上記構成によると、逃げ部４１は凸部３０の先端面３０ａを部分的に斜めに切り欠いた形状をなしているので、例えばリール本体２を成形する金型は、キャビティとコアとを組み合わせる一般的な型構造を有していればよい。
【００６２】
すなわち、逃げ部４１を成形するための専用のスライド型が不要となる。そのため、金型の製造コストを低減でき、安価な魚釣用スピニングリール１を提供することができる。
【００６３】
図７は、本発明の第３の実施の形態を開示している。
【００６４】
この第３の実施の形態は、プロテクタ１８の第１の部分２０をリール本体２に固定する第１の固定手段２２の構成が上記第１の実施の形態と相違しており、それ以外のスピニングリール１の構成は、第１の実施の形態と同様である。
【００６５】
図７に示すように、第１の固定手段２２は、係合突起５１と係合孔５２とを備えている。係合突起５１は、第１の部分２０の対向壁２０ａの内面からリール本体２の後面１４に向けて突出している。この係合突起５１の突出方向は、リール本体２に対するプロテクタ１８の組み付け方向Ａと一致している。係合突起５１は、対向壁２０ａの上端部に位置するとともに、その先端に矢尻状の係合爪５３を有している。
【００６６】
係合孔５２は、取り付け座１７の上端部に位置するとともに、リール本体２を貫通している。係合孔５２は、係合突起５１がプロテクタ１８の組み付け方向Ａに沿って取り外し可能に差し込まれるようにリール本体２の後面１４に開口している。この係合孔５２の内面に段差５４が形成されている。段差５４は、係合孔５２の途中に位置し、この段差５４に係合突起５１の先端の係合爪５３が弾性的に引っ掛かるようになっている。
【００６７】
したがって、プロテクタ１８の第１の部分２０は、係合突起５１を係合孔５２に差し込んで、その先端の係合爪５３を段差５４に引っ掛けることでリール本体２に固定される。この固定により、プロテクタ１８の第１の部分２０の外周縁が取り付け座部１７の外周部に突き合わされ、リール本体２の後面１４がプロテクタ１８の第１の部分２０によって覆い隠される。
【００６８】
この第３の実施の形態によれば、格別なねじを用いることなくプロテクタ１８の第１の部分２０をリール本体２の後面１４に固定できる。
【００６９】
加えて、プロテクタ１８の第１の部分２０をリール本体２の後面１４に固定した時に、第１の部分２０を挟み込もうとする力が第１の部分２０に加わることもない。よって、プロテクタ１８の変形やこの変形に伴うメッキ層１９の割れや剥離を防止でき、プロテクタ１８の外観を良好に維持することができる。
【００７０】
図８は、本発明の第４の実施の形態を開示している。
【００７１】
この第４の実施の形態は、第２の固定手段２３を構成する嵌合孔３１の形状が上記第１の実施の形態と相違しており、それ以外の構成は第１の実施の形態と同様である。
【００７２】
図８に示すように、プロテクタ１８は、嵌合孔３１の前端部に逃げ部６１を有している。逃げ部６１は、凸部３０の前端部を避けるようにプロテクタ１８の組み付け方向Ａに沿って切り欠かれた形状をなしている。このため、逃げ部６１は、嵌合孔３１に連なるとともに、プロテクタ１８の組み付け方向Ａに沿って延びる平坦な平面６１ａを有している。
【００７３】
このような構成によれば、プロテクタ１８をリール本体２の後方から真っ直ぐにリール本体２に組み付けていくと、凸部３０の前端部が嵌合孔３１の逃げ部６１に入り込むとともに、その平坦な平面６１ａに沿って移動する。
【００７４】
このため、プロテクタ１８をリール本体２に組み付ける時に、プロテクタ１８の嵌合孔３１が凸部３０に引っ掛かることはない。したがって、プロテクタ１８の第２の部分２１を下向きに撓ませる必要もなく、リール本体２に対するプロテクタ１８の組み付け作業を容易に行うことができる。
【００７５】
さらに、上記構成によると、逃げ部６１は、嵌合孔３１の前端部をプロテクタ１８の組み付け方向Ａに沿って部分的に切り欠いた形状をなしているので、例えばリール本体２を成形する金型は、キャビティとコアとを組み合わせる一般的な型構造を有していればよい。
【００７６】
すなわち、嵌合孔３１は、基本的にプロテクタ１８を厚み方向に貫通するように形成すればよく、この嵌合孔３１をプロテクタ１８の組み付け方向Ａに沿うように斜め方向に開ける必要はない。この結果、逃げ部６１を成形するための専用のスライド型が不要となり、その分、金型の製造コストを低減して、安価な魚釣用スピニングリール１を提供することができる。
【図面の簡単な説明】
【００７７】
【図１】本発明の第１の実施の形態に係る魚釣用スピニングリールの側面図。
【図２】本発明の第１の実施の形態において、リール本体とプロテクタとを分離させた状態を示す魚釣用スピニングリールの側面図。
【図３】本発明の第１の実施の形態において、プロテクタの第２の部分とリール本体との固定部を示す断面図。
【図４】図３のIV部を拡大して示す断面図。
【図５】本発明の第２の実施の形態において、プロテクタの第２の部分とリール本体との固定部を示す断面図。
【図６】本発明の第２の実施の形態において、プロテクタをリール本体に組み付ける時の凸部の逃げ部とプロテクタの窪み部との位置関係を示す断面図。
【図７】本発明の第３の実施の形態において、プロテクタの第１の部分とリール本体との固定部を示す断面図。
【図８】本発明の第４の実施の形態において、プロテクタをリール本体に組み付ける時の凸部とプロテクタの逃げ部との位置関係を示す断面図。
【符号の説明】
【００７８】
２…リール本体、５…ロータ、６…スプール、１８…プロテクタ、２２…第１の固定手段、２３…第２の固定手段、３０…凸部、３１…嵌合孔、３２…第２の止めねじ。
【図１】
2007215418.tif 000003
【図２】
2007215418.tif 000004
【図３】
2007215418.tif 000005
【図４】
2007215418.tif 000006
【図５】
2007215418.tif 000007
【図６】
2007215418.tif 000008
【図７】
2007215418.tif 000009
【図８】
2007215418.tif 000010